(57)【特許請求の範囲】
【請求項１】
基台と、前記基台に取り付けられ、前後方向に沿って細長く形成されたホース保持枠と、前記ホース保持枠の上面に設けられ、前後方向に移動可能な移動台と、前記移動台を前後方向に移動させる移動機構とを有し、前記ホース保持枠は前部が略4分の１円弧形状に形成され、コンクリート打設用ホースが滑動自在に内部に挿通されると共に、略90度の角度に屈曲させて下方に垂らすホース滑動枠部を有しており、前記移動台には前記ホース滑動部に挿通されるコンクリート打設用ホースの一端部側が固定されると共に、前記コンクリート打設用ホースの一端部と接続されるコンクリートポンプ車からのコンクリート輸送ホースが固定され、前記移動台を前後方向に移動させることにより前記コンクリート打設用ホースを前記ホース保持枠に対して直進移動させることを特徴とするコンクリートホース地上接続装置。
【請求項２】
前記ホース保持枠は前記基台に対して旋回可能に取り付けられていることを特徴とする請求項１に記載のコンクリートホース地上接続装置。
【請求項３】
前記基台は移動用の車輪が設けられていることを特徴とする請求項１または２に記載のコンクリートホース地上接続装置。
【発明の詳細な説明】
【０００１】
【発明の属する技術分野】
本発明は、コンクリートポンプ車からのコンクリート輸送を行なうコンクリート輸送ホースと、コンクリート打設のためのコンクリート打設ホースとを接続し、コンクリートの打設位置の変更を迅速に行なえるコンクリートホース地上接続装置に関する。
【０００２】
【従来技術】
コンクリートポンプ車は、例えば多関節アームの先端から延びるコンクリート輸送を行なうためのコンクリート輸送ホースを用いてコンクリート打設場所にコンクリートを供給する。
【０００３】
そして、コンクリート輸送ホースにはコンクリート打設ホースを接続してコンクリートの打設を行うのが一般的で、例えば深い穴にコンクリートを打設する場合、前記コンクリート打設ホースを該穴に挿入してコンクリートの打設作業を行なっていた。
【０００４】
【発明が解決しようとする課題】
このような深穴へのコンクリート打設作業において、コンクリートの打設高さは挿入されるコンクリート打設ホースの下端となるようにしている。そのため、コンクリート打設ホースの高さ調節は、コンクリートポンプ車のアームを傾動させて吊り下げられたコンクリート打設ホースを上下に移動させることで行なっていた。
【０００５】
しかしながら、このようなコンクリート打設ホースの高さ調節をコンクリートポンプ車のアーム駆動で行なうと、微妙な調節が難しく手間のかかる作業となっていた。
【０００６】
また、コンクリート打設位置を変更する場合、コンクリートポンプ車のアームを駆動してコンクリート打設ホースを吊り上げて次の穴にコンクリート打設ホースを所定のコンクリート打設高さまで挿入する必要があるため、手間のかかる作業となっていた。
【０００７】
本出願に係る発明の第１の目的は、コンクリート輸送ホースに接続されているコンクリート打設ホースの高さ調節を容易に行なえるコンクリートホース地上接続装置を提供しようとするものである。
【０００８】
また、本出願に係る発明の第２の目的は、コンクリート輸送ホースに接続されているコンクリート打設ホースのコンクリート打設位置を容易に変更できるコンクリートホース地上接続装置を提供しようとするものである。
【０００９】
【課題を解決するための手段】
本発明の第１の目的を実現するコンクリートホース地上接続装置は、基台と、前記基台に取り付けられ、前後方向に沿って細長く形成されたホース保持枠と、前記ホース保持枠の上面に設けられ、前後方向に移動可能な移動台と、前記移動台を前後方向に移動させる移動機構とを有し、前記ホース保持枠は前部が略4分の１円弧形状に形成され、コンクリート打設用ホースが滑動自在に内部に挿通されると共に、略90度の角度に屈曲させて下方に垂らすホース滑動枠部を有しており、前記移動台には前記ホース滑動部に挿通されるコンクリート打設用ホースの一端部側が固定されると共に、前記コンクリート打設用ホースの一端部と接続されるコンクリートポンプ車からのコンクリート輸送ホースが固定され、前記移動台を前後方向に移動させることにより前記コンクリート打設用ホースを前記ホース保持枠に対して直進移動させることを特徴とする。
【００１０】
本発明の第２の目的を実現するコンクリートホース地上接続装置は、前記ホース保持枠は前記基台に対して旋回可能に取り付けられていることを特徴とする。
【００１１】
【発明の実施の形態】
以下本発明を図面に示す実施の形態に基づいて詳細に説明する。
【００１２】
図１から図６は本発明の実施の形態を示す。
【００１３】
図１は本発明によるコンクリートホース地上接続装置の正面図、図２は図１の平面図、図３は図１の基台のみを示す平面図、図４は図１の右側面図、図５は図１のＡＡ矢視図、図６は図５の拡大図を示す。
【００１４】
図１から図３において、本実施の形態のコンクリートホース地上接続装置は、基台Ａの上面に旋回軸支持台Ｂが固定され、この旋回軸支持台Ｂには旋回軸Ｂ１が上下方向に沿って固定されていて、ホース保持枠Ｃが旋回軸Ｂ１に旋回可能に取り付けられている。そして、ホース保持枠Ｃの上面には、コンクリート輸送ホースＨ１とコンクリート打設ホースＨ２との接合部の前後を固定した移動台Ｄが前後方向（図中左右方向）に移動可能に取り付けられている。
【００１５】
コンクリート打設ホースＨ２によりコンクリートが打設される打設・充填場所としては、例えば打設口が少なく、上下面が閉塞された空間・箇所が挙げられる。
【００１６】
そして、コンクリートポンプ車が来る前に、本発明の装置をコンクリート打設場所に予め用意し、コンクリート打設パイプにコンクリートポンプ車からのコンクリート輸送パイプを接続することでコンクリートの打設準備が完了する。
【００１７】
基台Ａの構成
基台Ａは、基台本体Ａ１にキャスター付の４本の主脚Ａ２が取り付けられ、さらに前後（図中左右方向）には開脚式の基台固定用脚Ａ３が取り付けられ、図４に示すように、開いた状態でアジャストボルトを調節することにより本装置全体の荷重を担持するようになっている。
【００１８】
旋回軸支持台Ｂ
旋回軸支持台Ｂは、上記した基台Ａに固定されているが、基台Ａに対して前後方向に移動可能に取り付けても良い。
【００１９】
ホース保持枠Ｃの構成
ホース保持枠Ｃは、前後方向に細長い水平枠体Ｃ１の前部に略1/4円状の弧状のホース滑動枠部Ｃ２が形成されている。ホース滑動枠部Ｃ２は、内径枠体Ｃ３と外径枠体Ｃ４にローラＣ５がそれぞれ略対向して回転自在に複数設けられており、これらのローラＣ５は対向するローラ間に挿通されるコンクリート打設用ホースＨ２の外径形状に合わせて中央部が窪んだ凹面形状に形成されている。
【００２０】
したがって、このホース滑動枠部Ｃ２内に挿通されたコンクリート打設ホースＨ２は、後端部側から水平方向後方に引っ張られると滑らかに後方に移動し、打設口内に挿入されている先端部が上方に移動する。
【００２１】
また、水平枠体Ｃ１は、基台Ａの後端よりも後方にはみ出るように延びており、移動台Ｄが充分な長さに渡って後方に移動できる、すなわちコンクリート打設ホースＨ２が充分に上方に引き上げられることができるようにしている。
【００２２】
移動台Ｄの構成
移動台Ｄは、図５及び図６に示すように、台本体Ｄ１の両側に回転軸を水平方向とする上下一対のコロＤ２-１を前後に設けると共に、その間に回転軸を上下方向とする一つのコロＤ２-２をそれぞれ設けており、水平枠体Ｃ１の上面に設けた左右のレールＣ６に対して上下一対のコロＤ２-１は上下面を挟持し、またコロＤ２−２は内面に当接する。
【００２３】
したがって、移動台Ｄは、水平枠体Ｃ１の上面を前後方向に移動するが、左右方向及び前後方向に傾動することはない。
【００２４】
また、コンクリート輸送ホースＨ１とコンクリート打設ホースＨ２とはＵバンドなどで台本体Ｄ１に固定されており、コンクリート輸送ホースＨ１とコンクリート打設ホースＨ２との接合部の前後が台本体Ｄ１に固定されている。
【００２５】
水平枠体Ｃ１の前後部に設けられたスプロケットＤ３-１、Ｄ３-２に無端状のチェーンＤ４が掛け回され、このチェーンＤ４の一部に台本体Ｄ１が固定されている。また、水平枠体Ｃ１にはウインチＤ５が取り付けられ、ウインチＤ５の駆動ギアには無端状のチェーンＤ４が噛みあわされていて、ウインチＤ５のハンドルを左方向に回転すると、チェーンＤ４の左方向への移動に伴って台本体Ｄ１が左方向に移動し、コンクリート輸送ホースＨ１と共にコンクリート打設ホースＨ２が左方向に移動してコンクリート打設ホースＨ２が引き上げられる。
【００２６】
また、ウインチＤ５のハンドルを右方向に回転すると、チェーンＤ４の右方向への移動に伴って台本体Ｄ１が右方向に移動し、コンクリート打設ホースＨ２をコンクリート輸送ホースと共に右方向へ移動させてコンクリート打設ホースＨ２の先端を打設口まで降ろすことができる。
【００２７】
なお、移動台Ｄを水平枠体Ｃの上面の任意の位置に固定するためのストッパーを設けて移動台Ｄの移動を阻止する必要があり、このストッパーとしては、例えば水平枠体ＣにチェーンＤ４を把持するクランパーとすることができ、また移動台Ｄを水平枠体Ｃにクランパーにより把持固定するもの等が用いられる。
【００２８】
ウインチＤ５のハンドルを左回転させてコンクリート打設ホースＨ２を引き上げ、次のコンクリート打設穴にコンクリート打設ホースＨ２を挿入する際、該コンクリート打設穴の位置が近い場合には、水平枠体Ｃを旋回軸Ｂ１を中心として旋回させることにより、所望するコンクリート打設穴の位置にコンクリート打設ホースを移動させることができる。その際、水平枠体Ｃを不図示のストッパーにより旋回台Ｂに任意の旋回角度を保持して固定される。
【００２９】
なお、ウインチＤ５は地上より高い位置、例えば約１．７ｍ程度の高さに設定しているので、作業用の足場Ｄ６を設けている。
【００３０】
また、コンクリートホース地上接続装置を移動させる場合には、基台固定用脚Ａ３を閉じて４本の主脚Ａ２にそれぞれ取り付けたキャスターを地面に付け、例えば数人の作業者で押して移動させることができる。
【００３１】
【発明の効果】
本発明によれば、コンクリートポンプ車のコンクリート輸送ホースにコンクリート打設用ホースを接続するだけでよく、打設場所までコンクリート輸送ホースを配管する必要がなく、特に移動機構を動かして移動台を直進移動させることでコンクリート打設パイプの先端が上下方向に移動するので、コンクリートの打設位置の調整を容易に行なうことができ、また広範囲へのコンクリート打設が可能となる。
【００３２】
また、コンクリートの打設中にコンクリート打設パイプを上下に昇降させることができるので、コンクリートの打ち上がり面に打設ホースの先端を追随させることができ、コンクリートの落下がなく、材料分離がないコンクリートの打設が可能となる。
【００３３】
また、ホース保持枠を旋回させるだけでコンクリート打設ホースが挿入される位置を容易に変更することができ、特に打設口が少なく上下面が閉塞された空間、箇所へのコンクリートの打設、充填に適している。
【００３４】
さらに、脚部の車輪により数名の作業者で装置の移動が可能である。
【図面の簡単な説明】
【図１】本発明の実施の形態を示すコンクリートホース地上接続装置の正面図
【図２】図１の平面図
【図３】図１の基台のみを示す平面図
【図４】図１の右側面図
【図５】図１のＡＡ矢視図
【図６】図５の拡大図
【符号の説明】
Ａ  基台
Ａ１  基台本体
Ａ２  主脚
Ａ３  基台固定用脚
Ｂ  旋回軸支持台
Ｂ１  旋回軸
Ｃ  ホース保持枠
Ｃ１  水平枠体
Ｃ２  ホース滑動枠部
Ｃ３  内径枠体
Ｃ４  外径枠体
Ｃ５  ローラ
Ｃ６  レール
Ｄ  移動台
Ｄ１  台本体
Ｄ２-１、Ｄ２-２  コロ
Ｄ３-１、Ｄ３-２  スプロケット
Ｄ４  チェーン
Ｄ５  ウインチ
Ｄ６  作業用の足場
Ｈ１コンクリート輸送ホース
Ｈ２  コンクリート打設ホース
【図１】
0003759012.tif 000002
【図２】
0003759012.tif 000003
【図３】
0003759012.tif 000004
【図４】
0003759012.tif 000005
【図５】
0003759012.tif 000006
【図６】
0003759012.tif 000007